(57)【要約】      （修正有）【課題】携帯電話本体に対して装飾および保護目的で需要者の要望に応じてカスタマイズするために着脱される板状の部材に関して、一般に市販されている物に比べてさらに細やかな要求に応じるための部材を提供するものである。【解決手段】携帯電話２の本体に交換可能なものとして主として装飾目的で取付けられる板状保護部材１であって、さらに追加的に他のアクセサリー部材７などを着脱するための取付手段８を１つ又は複数個備えているものである。【選択図】図１
0003110311.tif 000002
【実用新案登録請求の範囲】
【請求項１】
携帯電話の本体に交換可能なものとして主として装飾目的で取付けられる板状保護部材であって、さらに追加的に他のアクセサリー部材などを着脱するための取付手段を１つ又は複数個備えていることを特徴とする携帯電話用装飾・保護板材。
【請求項２】
他のアクセサリー部材の取付手段がキーホルダーやストラップを取付けるのに適したものであることを特徴とする請求項１に記載の携帯電話用装飾・保護板材。
【請求項３】
他のアクセサリー部材の取付手段が嵌め込み式に固定されるアクセサリー部材に適したものであり、板材表面の任意の位置に設けられていることを特徴とする請求項１に記載の携帯電話用装飾・保護板材。
【請求項４】
他のアクセサリー部材の取付手段が使用中の携帯電話脱落防止用の装飾的効果も有するストラップパーツやネックストラップパーツを取付けるのに適したものであることを特徴とする請求項１に記載の携帯電話用装飾・保護板材。
【請求項５】
板材の本体表面に凹凸のレリーフ模様が形成されていることを特徴とする請求項１〜請求項４の何れか１つに記載の携帯電話用装飾・保護板材。
【請求項６】
凹凸のレリーフ模様の表面に追加的に他のアクセサリー部材の取付手段を設けていることを特徴とする請求項５に記載の携帯電話用装飾・保護板材。
【考案の詳細な説明】
【技術分野】
【０００１】
本考案は、携帯電話本体に対して装飾および保護目的で需要者の要望に応じてカスタマイズするために着脱される板状の部材に関して、一般に市販されている物に比べてさらに細やかな要求に応じるための部材に関するものである。
【背景技術】
【０００２】
携帯電話は現在広く普及しており、各個人がそれぞれに所有していると言っても良いほどになっている。したがって、携帯電話は単にその機能によって選ばれる物品というよりも、個人的な美観や趣味性を反映した選択がなされる物品となってきている。
【０００３】
携帯電話本体の外観についてもそのデザイン性が重視され、美観や趣味性に訴えるものとして多様な提案がなされるようになってきている。
【０００４】
特に携帯電話本体の正面部分はそのデザイン処理が重要であり、また、多様な好みを反映した製品展開を要求されるものとして、そのデザイン処理に特徴を有する多種類の機種が実際に販売されている。
【０００５】
このような携帯電話本体の正面部分は需要者の関心を惹く重要な部分であることから、所定の型式を満たす該部分についてのみ好みや必要に応じて選択して着脱し、望ましいカスタマイズを行うようなことが既に行われて来ている。
また、携帯電話本体の正面部分を装飾しようというアイディアに関しては以下のような提案もなされている。
【特許文献１】登録実用新案第３０６９３１４号公報
【考案の開示】
【考案が解決しようとする課題】
【０００６】
しかしながら、上記したような先行技術においては多様なデザイン処理を施したカスタム用の携帯電話本体正面部用板材が提案されてはいるが、該板材に更に付加的な装飾部材や各種物品を着脱できるようにして、より個性的な携帯電話を実現するといった観点は見出せない。
特許文献１のものも携帯電話の正面部分に装飾シールを貼り付けようというだけのものであり、より多様化した需要者の要求を満足させるには足りないものである。
【課題を解決するための手段】
【０００７】
本考案は、上記したような既存の技術によっては解消できない課題を適切に解消するために草案されたものであって、携帯電話の機種に応じて型式毎に製品化されようとしている装飾用の携帯電話本体用板材として、規定の型式は満足しながら更なる美観向上や趣味性アップを図るために追加的に多様な部材をも着脱できるようにしたものであって、具体的には以下のごとくである。
【０００８】
（１）携帯電話の本体に交換可能なものとして主として装飾目的で取付けられる板状保護部材であって、さらに追加的に他のアクセサリー部材などを着脱するための取付手段を１つ又は複数個備えていることを特徴とする携帯電話用装飾・保護板材。
【０００９】
（２）他のアクセサリー部材の取付手段がキーホルダーやストラップを取付けるのに適したものであることを特徴とする前記（１）項に記載の携帯電話用装飾・保護板材。
【００１０】
（３）他のアクセサリー部材の取付手段が嵌め込み式に固定されるアクセサリー部材に適したものであり、板材表面の任意の位置に設けられていることを特徴とする前記（１）項に記載の携帯電話用装飾・保護板材。
【００１１】
（４）他のアクセサリー部材の取付手段が使用中の携帯電話脱落防止用の装飾的効果も有するストラップパーツやネックストラップパーツを取付けるのに適したものであることを特徴とする前記（１）項に記載の携帯電話用装飾・保護板材。
【００１２】
（５）板材の本体表面に凹凸のレリーフ模様が形成されていることを特徴とする前記（１）項〜（４）項の何れか１つに記載の携帯電話用装飾・保護板材。
【実施例】
【００１３】
上記したような本考案の具体的な実施例の若干を、添付図面を利用しながら以下説明する。
図１は、本考案の携帯電話用装飾・保護板材１を実際に携帯電話２に取付ける際の１例を示したものである。
【００１４】
ここで、このような装飾・保護目的で別個の板材１を任意に取付けることができる携帯電話２は、当初の設計段階からこのような板材１を取付けることを想定した特別な型式のものであり、そのような携帯電話２自体は既に市販されているものである。
【００１５】
すなわち、このような特別な型式の携帯電話２はその本体正面部３において所定の配置関係でデジタルカメラ用レンズ４やモニター５を備えたものであり、これに対して任意に取付けられる装飾・保護板材１もこれらの配置関係に合致するように個別に設計・製作されている。
【００１６】
このような装飾・保護板材１の携帯電話本体正面部３に対する取付けは、所定箇所に設けられたネジ止め部６を利用して行われるが、このようなネジ止め部６に位置関係も携帯電話２の機種毎に異なるものであるから、それぞれの機種に応じた装飾・保護板材１が用意されるものである。
【００１７】
既存のものにおいてもこのような板材が提案されているが、それは色や模様といった表面処理による装飾性のヴァリエーションを提案しているのみであり、さらに他のアクセサリー物品等を付加しようという発想は示されていない。
【００１８】
本考案においては、このような特別な型式の携帯電話２の本体正面部３に需要者の嗜好等に応じたカスタマイズ目的で取付けられる装飾・保護板材１を新たに各機種に応じて提供すると共に既存製品にない付加的物品等の取付けも可能とすることを提案するものである。
【００１９】
すなわち、図示のように板材１の基本形状を携帯電話の機種に応じてそのデジタルカメラ用レンズ４やモニター５の機能を阻害しないようにすることは当然であるが、さらにこの板材１自体に多様なアクセサリー部材７その他の物品を自在に取付ける機能を付加するものである。
【００２０】
図１においては、キーホルダーやストラップその他のアクセサリー部材７を適切に着脱できる取付け機構８を板材１の端部に設けると共に、ネジ止め部６において使用するネジの頭部９においても装飾的なキャラクター形状９ａなどを採用して、それらの自由な組合せによって需要者の望むカスタム性を一層高めるようにしている様子を示している。
【００２１】
このようなアクセサリー部材７のための取付け機構８は本考案の板材１の様々な場所に設けることができ、また、ネジの頭部９において採用する装飾的キャラクター形状９ａなども色々なヴァリエーションを採用することができるものである。
【００２２】
図２は、本考案の装飾・保護板材１において採用される具体的な応用例の幾つかを示したものである。
すなわち、（ａ）はこのような装飾・保護板材１の基本的形状を表したものであり、（ｂ）および（ｃ）はキーホルダーやストラップその他のアクセサリー部材７の取付け機構８を板材１の端部の色々な位置に取付ける場合のヴァリエーションを示したものである。
【００２３】
（ｄ）はアクセサリー部材７として装飾チェーン１０を採用する場合に２箇所の取り付け機構８を用いる例を示したものであり、（ｅ）および（ｆ）はネジ止め部６で用いるネジの頭部９に採用する装飾的キャラクター形状の若干例を示したものである。
【００２４】
（ｇ）は装飾的な手提げ部材１１を取付け機構８に連結した様子を示しており、（ｈ）はネックストラップパーツ１２を取付ける場合についての１例を示しているものである。
【００２５】
また、（ｉ）（ｊ）（ｋ）には、板材１の表面に凹凸のレリーフ模様を形成して別種の装飾性を高める例について示している。ここでは嵌め込み式のアクセサリー部材１３を凹凸レリーフ模様上に配置する例に関しても表現しているものである。
【００２６】
さらに（ｌ）には、このような嵌め込み式アクセサリー部材１３の具体的な１例を開示している。
【００２７】
以上説明したように本考案によれば、携帯電話の本体に需要者の好み等に応じて自由に着脱できる装飾・保護板材について、より機能を高めたりカスタム性を向上することのできる新規な構成を提案することができ、多くの需要を喚起する可能性を有することが明らかであり、工業的にその価値が高い考案であると理解されるべきである。
【図面の簡単な説明】
【００２８】
【図１】本考案の携帯電話用装飾・保護板材を実際に携帯電話に取付ける際の１例を示した図面である。
【図２】本考案の装飾・保護板材１において採用される具体的な応用例の幾つかを示した図面である。
【符号の説明】
【００２９】
１    本考案の装飾・保護板材
２    携帯電話
３    携帯電話本体正面部
４    デジタルカメラ用レンズ
５    モニター
６    ネジ止め部
７    アクセサリー部材
８    取付け機構
９    ネジの頭部
９ａ    装飾的キャラクター形状
１０    装飾チェーン
１１    装飾手提げ部材
１２    ネックストラップパーツ
１３    嵌め込み式アクセサリー部材
【図１】
0003110311.tif 000003
【図２】
0003110311.tif 000004